(57)【要約】【課題】放送局において送出する放送字幕データの異常を検知した場合の原因箇所の特定を容易にするデジタル放送システムを提供する。【解決手段】映像データ、該映像データのアンシラリ領域に多重化されたアンシラリ字幕データを含むアンシラリ字幕多重信号１を、エンコーダ装置１０１にて映像ＴＳパケット、放送字幕ＴＳパケットを含むデジタル放送信号の形式のＴＳパケット信号２に変換した際に、該ＴＳパケット信号２をデコーダ装置１０５に入力し、ＴＳパケット信号２に含まれる映像ＴＳパケットを映像データにデコードするとともに、放送字幕ＴＳパケットをアンシラリ字幕データに変換し、映像データのアンシラリ領域に多重化してアンシラリ字幕表示装置１０６に出力する。アンシラリ字幕表示装置１０６は、アンシラリ字幕データをデコードして得られる字幕データを、映像データに重畳した信号として映像モニタ・スピーカ１０７に出力して画面表示する。【選択図】        図１
2010206531.tif 000002
【特許請求の範囲】
【請求項１】
映像ＴＳ（Transport Stream）パケットを映像データにデコードするデコーダ装置であって、前記映像ＴＳパケットとともに入力される放送字幕ＴＳパケットをアンシラリ字幕データに変換することを特徴とするデコーダ装置。
【請求項２】
前記アンシラリ字幕データを前記映像データに多重化することを特徴とする請求項１に記載のデコーダ装置。
【請求項３】
映像データ、該映像データのアンシラリ領域に多重化された字幕データであるアンシラリ字幕データを少なくとも含む放送情報を、映像ＴＳ（Transport Stream）パケット、放送字幕ＴＳパケットを少なくとも含むデジタル放送信号の形式で放送するデジタル放送システムにおいて、前記映像ＴＳパケット、前記放送字幕ＴＳパケットを少なくとも入力し、入力された前記映像ＴＳパケットを映像データにデコードするとともに、入力された前記放送字幕ＴＳパケットをアンシラリ字幕データに変換し、前記映像データのアンシラリ領域に多重化したアンシラリ字幕多重信号として出力するデコーダ装置を備えていることを特徴とするデジタル放送システム。
【請求項４】
前記デコーダ装置から出力される前記アンシラリ字幕多重信号に多重化されている前記アンシラリ字幕データを抽出した後、デコードして得られる字幕データを、前記アンシラリ字幕多重信号に重畳した放送字幕重畳信号として出力するアンシラリ字幕表示装置を備え、かつ、該放送字幕重畳信号を出力表示する映像モニタを備えていることを特徴とする請求項３に記載のデジタル放送システム。
【請求項５】
映像データ、該映像データのアンシラリ領域に多重化された字幕データであるアンシラリ字幕データを少なくとも含む放送情報を入力して、該放送情報のうち、前記映像データを圧縮符号化した後、映像ＴＳパケットにエンコードするとともに、前記アンシラリ字幕データを、前記映像データに重畳する放送字幕データとして抽出した後、放送字幕ＴＳパケットにエンコードし、前記映像ＴＳパケットと多重化して、ＴＳパケット信号として出力するエンコーダ装置を備えていることを特徴とする請求項３または４に記載のデジタル放送システム。
【請求項６】
前記エンコーダ装置の出力を前記デコーダ装置の入力に接続してなることを特徴とする請求項５に記載のデジタル放送システム。
【請求項７】
映像ＴＳ（Transport Stream）パケットを映像データにデコードするとともに、前記映像ＴＳパケットとともに入力される放送字幕ＴＳパケットをアンシラリ字幕データに変換することを特徴とするＴＳパケットデコード方法。
【請求項８】
前記アンシラリ字幕データを前記映像データに多重化することを特徴とする請求項７に記載のＴＳパケットデコード方法。
【請求項９】
映像データ、該映像データのアンシラリ領域に多重化された字幕データであるアンシラリ字幕データを少なくとも含む放送情報を、映像ＴＳ（Transport Stream）パケット、放送字幕ＴＳパケットを少なくとも含むデジタル放送信号の形式で放送する際に、前記字幕データが正常に放送されているか否かを監視する放送字幕監視方法において、前記映像ＴＳパケット、前記放送字幕ＴＳパケットを少なくとも入力し、入力された前記映像ＴＳパケットを映像データにデコードするとともに、入力された前記放送字幕ＴＳパケットをアンシラリ字幕データに変換し、前記映像データのアンシラリ領域に多重化したアンシラリ字幕多重信号として出力し、該アンシラリ字幕多重信号が正常に表示されるか否かを監視する監視工程を有していることを特徴とする放送字幕監視方法。
【請求項１０】
前記アンシラリ字幕多重信号に多重化されている前記アンシラリ字幕データを抽出した後、デコードして得られる字幕データを、前記アンシラリ字幕多重信号に重畳した放送字幕重畳信号に変換し、変換した該放送字幕重畳信号を映像モニタに出力表示することを特徴とする請求項９に記載の放送字幕監視方法。
【請求項１１】
映像データ、該映像データのアンシラリ領域に多重化された字幕データであるアンシラリ字幕データを少なくとも含む放送情報を入力して、該放送情報のうち、前記映像データを圧縮符号化した後、映像ＴＳパケットにエンコードするとともに、前記アンシラリ字幕データを、前記映像データに重畳する放送字幕データとして抽出した後、放送字幕ＴＳパケットにエンコードし、前記映像ＴＳパケットと多重化して、ＴＳパケット信号として出力した直後に、前記監視工程により、前記放送字幕ＴＳパケットが正常であるか否かを監視することを特徴とする請求項９または１０に記載の放送字幕監視方法。
【発明の詳細な説明】
【技術分野】
【０００１】
本発明は、デコーダ装置、デジタル放送システム、ＴＳパケットデコード方法および放送字幕監視方法に関し、特に、デジタル放送を送出する放送局において放送字幕データの異常の有無を監視することが可能なデコーダ装置、デジタル放送システム、ＴＳパケットデコード方法および放送字幕監視方法に関する。
【背景技術】
【０００２】
近年のデジタル放送技術の進展に伴い映像信号や音声信号の放送番組に関する放送信号に、デジタル文字放送信号等を多重化して通信衛星や放送衛星に送出するデジタル放送システム（デジタル放送システム）が実用化され、さらには、地上波放送システムについても、デジタル放送への移行が開始されつつある。かかるデジタル放送の放送局においては、特許文献１の特開２００１−２０３９８９号公報「デジタル放送送信装置、デジタル放送受信装置、デジタル放送送受信システムおよびデジタル放送受信方法並びにコンピュータ読み取り可能な記録媒体」にも記載されているように、アナログ放送の場合と同様、デジタル放送信号中に字幕データを多重化して送出するという文字多重放送も行うようになっている。
【０００３】
このため、デジタル放送を行う放送局においては、送出する放送番組に関する映像信号や音声信号のみならず、デジタル放送信号中に多重化されている字幕データに関する信号についても、正しいデータが送出されているか否かを監視することが必要である。
【０００４】
デジタル放送信号の送出において、放送字幕データに関する信号が正しく送出されていることを監視する方法は、図５に示すように、ＴＳ(Transport  Stream)パケット化される前つまり映像データのアンシラリ領域（補助領域）に多重化された状態での字幕データ（アンシラリ字幕データ）を映像データに重畳する形に変換して、映像モニタに表示することができる装置(アンシラリ字幕表示装置)を用いた監視、または、ＴＳパケット化された後さらにデジタル変調されて放送電波となった状態において受信して映像モニタに表示することができるデジタル放送受信器を使用した監視、のいずれか一方または双方による監視方法が採用されていた。図５は、関連するデジタル放送システムのシステム構成を示すシステム構成図である。
【０００５】
図５に示すように、デジタル放送の場合、放送局１００Ａにおいて、映像データ・音声データ・アンシラリ字幕データが多重化されているアンシラリ字幕多重信号１は、エンコーダ装置１０１に入力され、エンコーダ装置１０１により、映像データおよび音声データがそれぞれエンコード(圧縮符号化)されてＴＳパケット化されると同時に、映像データのアンシラリ領域(つまり映像モニタには映らない、画面外の補助領域)に多重化されている字幕データもＴＳパケット化される。ここで、エンコーダ装置１０１に入力される、映像データのアンシラシ領域に多重化された字幕データは、一般に、アンシラリ字幕データと称される。
【０００６】
エンコーダ装置１０１によりＴＳパケット化された映像データ・音声データ・放送字幕データからなるＴＳパケット信号２は、放送局１００Ａ内にてデジタル変調器１０２によりデジタル変調された後、放送電波３として送出される。
【０００７】
該放送電波３を受信した各家庭２００のデジタル放送受信器２０１において、該放送電波３はデコードされて、映像モニタ・スピーカ２０２に出力され、デコードされた映像信号はテレビ画面に表示され、デコードされた音声信号はスピーカから出力され、また、デコードされた放送字幕データは映像信号に重畳されてテレビ画面に表示される。なお、デジタル放送受信器２０１によってデコードされる字幕データは、アンシラリ字幕データと区別するために、一般に、放送字幕データと称される。
【０００８】
ここで、デジタル放送システムは、放送局１００Ａにおいて映像データ・音声データのＴＳパケットが正しく送出されていることを監視するために、エンコーダ装置１０１から出力される映像ＴＳパケット・音声ＴＳパケット・放送字幕ＴＳパケットからなるＴＳパケット信号２のうち、映像ＴＳパケットおよび音声ＴＳパケットを抽出して、抽出した映像ＴＳパケットおよび音声ＴＳパケットをデコードしてデコード信号４Ａとして出力するデコーダ装置１０５Ａが使用されている。該デコーダ装置１０５Ａから出力されるデコード信号４Ａは、映像モニタ・スピーカ１０７に入力されて、デジタル放送番組としての送出が正常に行われているか否かが監視されている。
【０００９】
ここで、図６のブロック図を用いて、デコーダ装置１０５Ａの動作についてさらに説明する。図６は、図５に示す関連するデジタル放送システムにおけるデコーダ装置１０５Ａの内部構成を示すブロック図である。デコーダ装置１０５Ａには、エンコーダ装置１０１から出力される映像データ・音声データ・放送字幕データの各ＴＳパケットを多重化しているＴＳパケット信号２が入力される。デコーダ装置１０５Ａにおいて、入力されてくるＴＳパケット信号２の中から、映像ＴＳパケット抽出部１０５ａにて映像ＴＳパケットが抽出されて、映像デコード部１０５ｂにてデコードされる。同様に、入力されてくるＴＳパケット信号２の中から、音声ＴＳパケット抽出部１０５ｃにて音声ＴＳパケットが抽出されて、音声デコード部１０５ｄにてデコードされる。
【００１０】
映像デコード部１０５ｂにてデコードされた映像信号と音声デコード部１０５ｄにてデコードされた音声信号とは、多重化部１０５ｅにて多重化されて、デコード信号４Ａとしてデコーダ装置１０５Ａから出力されて、映像モニタ・スピーカ１０７に入力される。一方、デコーダ装置１０５Ａへ入力されたＴＳパケット信号２に含まれていた放送字幕ＴＳパケットは、デコーダ装置１０５Ａ内では、使用されることなく、破棄されることになる。
【００１１】
なお、図５のデジタル放送システムは、放送局１００Ａにおいて放送字幕データが正しく放送電波３として送出されていることを監視するために、ＴＳパケット化される前つまりアンシラリ字幕多重信号１として映像のアンシラリ領域に多重化された状態におけるアンシラリ字幕データを、アンシラリ字幕表示装置１０３にて映像信号に重畳して、字幕重畳信号５として映像モニタ・スピーカ１０４に出力することによって、放送字幕が正しく送出されているか否かを監視する。エンコーダ装置１０１にてＴＳパケット化した後、さらにデジタル変調器１０２や他の装置にてデジタル変調し、放送電波３として放送し、放送電波３をデジタル放送受信器１０８で受信し、受信した放送電波３をデジタル放送受信器１０８デコードし、デコードした映像信号、音声信号および放送字幕データを映像モニタ・スピーカ１０９へ送る。映像モニタ・スピーカ１０９は、デコードされた映像信号をテレビ画面に表示され、デコードされた音声信号をスピーカから出力し、また、デコードされた放送字幕データを映像信号に重畳してテレビ画面に表示する。映像モニタ・スピーカ１０９のテレビ画面に放送字幕データを表示することにより、放送字幕が正しく送出されているか否かを監視している。
【先行技術文献】
【特許文献】
【００１２】
【特許文献１】特開２００１−２０３９８９号公報（第３−４頁）
【発明の概要】
【発明が解決しようとする課題】
【００１３】
しかしながら、図５に示すような関連する放送字幕の監視方法において、例えば、ＴＳパケット化される前に監視している段階、つまり、アンシラリ字幕表示装置１０３を介して映像モニタ・スピーカ１０４から出力した段階においては、字幕表示に異常は無かったものの、その後、デジタル変調され、放送電波３となった状態から、デジタル放送受信器１０８にてデコードして映像モニタ・スピーカ１０９から出力した段階において、字幕表示に異常があった場合には、エンコーダ装置１０１によるＴＳパケット化に問題あるのか、あるいは、エンコーダ装置１０１以降のデジタル変調器１０２等の装置を経由して放送電波３に変換される過程で異常が発生しているのか、判別することができない。
【００１４】
本発明は、かかる事情に鑑みてなされたものであり、エンコーダ装置の出力ＴＳパケットを監視するためのデコーダ装置として、映像データ、音声データの各ＴＳパケットのみならず、放送字幕データのＴＳパケットも監視することを可能とし、放送字幕データの送出の際に、放送局において該放送字幕データの異常の発生を検知した場合の原因箇所の特定を容易にするデコーダ装置、デジタル放送システム、ＴＳパケットデコード方法および放送字幕監視方法を提供することを、その目的としている。
【課題を解決するための手段】
【００１５】
前述の課題を解決するため、本発明によるデコーダ装置は、次のような特徴的な構成を採用している。
【００１６】
（１）映像ＴＳ（Transport Stream）パケットを映像データにデコードするデコーダ装置であって、前記映像ＴＳパケットとともに入力される放送字幕ＴＳパケットをアンシラリ字幕データに変換するデコーダ装置。
【発明の効果】
【００１７】
本発明のデコーダ装置、デジタル放送システム、ＴＳパケットデコード方法および放送字幕監視方法によれば、放送局において、放送字幕データの送出に異常を検知した場合に、放送局内のいずれの回路部に異常が発生しているのかを容易に特定することが可能となる。
【００１８】
さらに、映像信号や音声信号に関しては擬似信号を用いて、字幕データ単独の形態で表示の正常性を確認するのではなく、実際の映像信号・音声信号とともに字幕データを表示することにより、映像信号・音声信号の確認と字幕データの表示の確認とを同時に行うことができるので、確認作業を効率化することができるという効果も得られる。
【図面の簡単な説明】
【００１９】
【図１】本発明によるデジタル放送システムのシステム構成の一例を示すシステム構成図である。
【図２】図１に示すデジタル放送システムにおけるエンコーダ装置の内部構成の一例を示すブロック図である。
【図３】図１に示すデジタル放送システムにおけるアンシラリ字幕表示装置の内部構成の一例を示すブロック図である。
【図４】図１に示すデジタル放送システムにおけるデコーダ装置の内部構成の一例を示すブロック図である。
【図５】関連するデジタル放送システムのシステム構成を示すシステム構成図である。
【図６】図５に示す関連するデジタル放送システムにおけるデコーダ装置の内部構成を示すブロック図である。
【発明を実施するための形態】
【００２０】
以下、本発明によるデコーダ装置、デジタル放送システム、ＴＳパケットデコード方法および放送字幕監視方法の好適な実施形態について添付図を参照して説明する。
【００２１】
（本発明の特徴）
本発明の実施形態の説明に先立って、本発明の特徴についてその概要をまず説明する。本発明は、デジタル放送においてＴＳ(Transport  Stream)パケットとして映像データ・音声データとともに送出される放送字幕データが正常に送出されているか否かを放送局内で監視し、放送字幕データに異常を検知した際に、放送局内のどの回路部に異常が発生しているかを容易に特定することを可能としている点に、その特徴を有している。
【００２２】
つまり、本発明は、エンコーダ装置から出力されるＴＳパケット信号を監視するためのデコーダ装置において、映像ＴＳパケットや音声ＴＳパケットのみならず、放送字幕ＴＳパケットについても監視をすることを可能とするものである。エンコーダ装置が出力する放送字幕ＴＳパケットはＴＳパケット形式となっているので、デコーダ装置において、一旦、該放送字幕ＴＳパケットをアンシラリ字幕形式の字幕データに変換して、映像データのアンシラリ領域に重畳された形式のデコード信号として出力する。
【００２３】
しかる後、該デコード信号として出力された、字幕データがアンシラリ領域に多重化された状態のデコード映像信号であるアンシラリ字幕多重信号を、アンシラリ字幕表示装置へ入力して、アンシラリ領域に多重化された字幕データをデコードして、デコード映像信号に重畳することによって、字幕データが重畳された映像信号からなる字幕重畳信号に変換して、映像モニタ・スピーカに出力する。変換した字幕重畳信号を映像モニタに表示させることにより、映像信号に放送字幕データが重畳された状態で表示されることになり、放送字幕ＴＳパケットが正常に送出されているか否かを監視することが可能となる。
【００２４】
（実施形態の構成）
図１は、本発明によるデジタル放送システムのシステム構成の一例を示すシステム構成図であり、図５に示した関連するデジタル放送システムと同一の機能を有する回路部には、図５と同一の符号を付して示している。図１に示すデジタル放送システムにおいては、図５の関連するデジタル放送システムの放送局１００Ａに設置されているデコーダ装置１０５Ａの代わりに、デコーダ装置１０５とアンシラリ字幕表示装置１０６とが放送局１００に設置されている。
【００２５】
図１のデジタル放送システムにおいて、放送局１００で制作された放送番組に関する映像データ・音声データ・アンシラリ字幕データが多重化されたアンシラリ字幕多重信号１は、エンコーダ装置１０１に入力される。エンコーダ装置１０１は、入力されてくるアンシラリ字幕多重信号１のうち、映像データ・音声データを圧縮符号化して、ＴＳパケット化し、映像ＴＳパケット、音声ＴＳパケットとして出力する。同時に、エンコーダ装置１０１は、入力されてくるアンシラリ字幕多重信号１に含まれているアンシラリ字幕データを放送字幕データに変換した後、ＴＳパケット化し、放送字幕ＴＳパケットとして出力する。
【００２６】
エンコーダ装置１０１が出力した映像ＴＳパケット・音声ＴＳパケット・放送字幕ＴＳパケットからなるＴＳパケット信号２は、デジタル変調器１０２その他の装置にて、デジタル変調や他の処理が施されて、放送電波３として出力され、各家庭２００へ送出される。
【００２７】
各家庭２００においては、デジタル放送受信器２０１にて放送電波３を受信し、放送電波３に含まれている映像ＴＳパケットはデコードされて、映像信号として映像モニタ・スピーカ２０２の映像モニタ画面に映され、放送電波３に含まれている音声ＴＳパケットはデコードされて、音声信号として映像モニタ・スピーカ２０２のスピーカから出力され、放送電波３に含まれている放送字幕ＴＳパケットはデコードされて、映像信号に重畳されて映像モニタ・スピーカ２０２の映像モニタ画面に映される。
【００２８】
以上が、デジタル放送番組を各家庭２００に送出する図１のデジタル放送システムとして、放送局１００側で制作された放送番組の映像データ・音声データ・アンシラリ字幕データが、各家庭２００において、受信されて、テレビ画面に表示され、スピーカから出力されるまでの流れである。
【００２９】
（実施形態の動作の説明）
次に、図１に示すデジタル放送システムを構成するエンコーダ装置１０１、アンシラリ字幕表示装置１０３、デコーダ装置１０５のそれぞれの動作例について、さらに説明する。
【００３０】
まず、エンコーダ装置１０１の動作について、その一例を図２のブロック図を用いて説明する。図２は、図１に示すデジタル放送システムにおけるエンコーダ装置１０１の内部構成の一例を示すブロック図である。図２に示すように、エンコーダ装置１０１には、映像データ・音声データ・アンシラリ字幕データが多重化されたアンシラリ字幕多重信号１が入力される。エンコーダ装置１０１は、入力されてくるアンシラリ字幕多重信号１の中から、映像抽出部１０１ａ、音声抽出部１０１ｃ、アンシラリ字幕抽出部１０１ｅにて、それぞれ、映像データ、音声データ、アンシラリ字幕データを抽出する。
【００３１】
映像抽出部１０１ａにより抽出された映像データは、映像圧縮符号化・ＴＳパケット化部１０１ｂにて、圧縮符号化され、映像ＴＳパケットとしてＴＳパケット化される。同様に、音声抽出部１０１ｃにより抽出された音声データは、音声圧縮符号化・ＴＳパケット化部１０１ｄにて、圧縮符号化され、音声ＴＳパケットとしてＴＳパケット化される。また、アンシラリ字幕抽出部１０１ｅにより抽出されたアンシラリ字幕データは、放送字幕抽出・ＴＳパケット化部１０１ｆにて、放送字幕データとして抽出されて、ＴＳパケット化される。
【００３２】
ＴＳパケット化された映像ＴＳパケット・音声ＴＳパケット・放送字幕ＴＳパケットは、ＴＳ多重化部１０１ｇにて、ＴＳ多重化され、ＴＳパケット信号２としてエンコーダ装置１０１から出力される。
【００３３】
次に、アンシラリ字幕表示装置１０３の動作について、その一例を図３のブロック図を用いて説明する。図３は、図１に示すデジタル放送システムにおけるアンシラリ字幕表示装置１０３の内部構成の一例を示すブロック図である。図３に示すように、アンシラリ字幕表示装置１０３へは、アンシラリ字幕データが多重化された映像データを含むアンシラリ字幕多重信号１が入力される。アンシラリ字幕表示装置１０３内部では、デコード部１０３ａにより、アンシラリ字幕多重信号１のうち、映像データのアンシラリ領域に多重化されている字幕データが抽出された後、デコードされて、字幕データ６として出力される。
【００３４】
デコードされた字幕データ６は、重畳部１０３ｂにおいて、アンシラリ字幕表示装置１０３へ入力されたアンシラリ字幕多重信号１に、重畳(スーパーインポーズ)されて、字幕データが重畳された映像信号に変換されて、字幕重畳信号５として、アンシラリ字幕表示装置１０３から出力され、図１の映像モニタ・スピーカ１０４に入力されることになる。なお、アンシラリ字幕表示装置１０３へ入力されるアンシラリ字幕多重信号１は、図１に示す映像データ・音声データ・アンシラリ字幕データが多重化されているアンシラリ字幕多重信号１と同じ信号であり、アンシラリ字幕多重信号１に含まれる音声データは、そのまま、アンシラリ字幕表示装置１０３を介して、図１の映像モニタ・スピーカ１０４に入力される。
【００３５】
次に、デコーダ装置１０５の動作について、その一例を図４のブロック図を用いて説明する。図４は、図１に示すデジタル放送システムにおけるデコーダ装置１０５の内部構成の一例を示すブロック図である。図４に示すように、デコーダ装置１０５に対して、エンコーダ装置１０１から出力される映像ＴＳパケット・音声ＴＳパケット・放送字幕ＴＳパケットが多重化されたＴＳパケット信号２が入力される。
【００３６】
デコーダ装置１０５においては、入力されてくるＴＳパケット信号２の中から、映像ＴＳパケット抽出部１０５ａにて映像ＴＳパケットが抽出され、映像デコード部１０５ｂにてデコードされる。同様に、入力されてくるＴＳパケット信号２の中から、音声ＴＳパケット抽出部１０５ｃにて音声ＴＳパケットが抽出され、音声デコード部１０５ｄにてデコードされる。さらに、入力されてくるＴＳパケット信号２の中から、放送字幕ＴＳパケット抽出部１０５ｆにて放送字幕ＴＳパケットも抽出されて、変換部１０５ｇにて、放送字幕ＴＳパケットが映像データのアンシラリ領域に多重化される形式のアンシラリ字幕データに変換される。
【００３７】
映像デコード部１０５ｂにてデコードされた映像データ、音声デコード部１０５ｄにてデコードされた音声データおよび変換部１０５ｇにて変換されたアンシラリ字幕データは、多重化部１０５ｅにて多重化されて、デコーダ装置１０５からデコード信号４として出力される。
【００３８】
かくのごとく、図４に示すデコーダ装置１０５は、図６に示した関連するデコーダ装置１０５Ａとは異なり、デコーダ装置１０５へ入力されてくるＴＳパケット信号２に含まれる放送字幕ＴＳパケットについても、破棄することなく、アンシラリ字幕データとして変換され、映像データ、音声データと多重化されてデコード信号４に含まれた形で出力される。
【００３９】
ここで、放送局１００内には、デジタル放送が正常に送出されているか否かを監視するための仕組みが存在している。さらに、デジタル放送が正常に送出されていないことが検知された場合には、放送局１００内のどの箇所で問題が発生したかを特定し易くするために、放送局１００内の適当な箇所に監視ポイントが置かれている。図１に示すデジタル放送システムにおいては、放送局１００内に、次に示す３箇所の監視ポイントを設定している。
（１）第１の監視ポイント（映像モニタ・スピーカ１０４による監視ポイント）
エンコーダ装置１０１にてエンコードする前の段階のアンシラリ字幕多重
信号１の異常の有無を監視する。
（２）第２の監視ポイント（映像モニタ・スピーカ１０７による監視ポイント）
エンコーダ装置１０１にてエンコードした後の段階のＴＳパケット信号２
の異常の有無を監視する。
（３）第３の監視ポイント（映像モニタ・スピーカ１０９による監視ポイント）
デジタル変調器１０２、他の装置のデジタル変調や他の処理を施した段階
で送出した放送電波の異常の有無を監視する。
【００４０】
つまり、第１の監視ポイントとしては、エンコーダ装置１０１の前段の映像データ・音声データ・アンシラリ字幕データからなるアンシラリ字幕多重信号１を監視するために、アンシラリ字幕表示装置１０３および映像モニタ・スピーカ１０４が使用される。アンシラリ字幕表示装置１０３には、エンコーダ装置１０１に入力されるアンシラリ字幕多重信号１と同じ映像データ・音声データ・アンシラリ字幕データからなる信号が入力される。
【００４１】
アンシラリ字幕表示装置１０３においては、前述したように、まず、映像データからアンシラリ字幕データが抽出・分離されて、字幕データ６としてデコードされる。しかる後、字幕データ６は、入力されるアンシラリ字幕多重信号１の映像信号に重畳(スーパーインポーズ)されて、字幕重畳信号５として、映像モニタ・スピーカ１０４に出力され、映像モニタ・スピーカ１０４にて、映像信号に重畳されて表示される字幕データが、映像信号や音声信号とともに監視されることになる。
【００４２】
第２の監視ポイントとしては、エンコーダ装置１０１からＴＳパケット化されて出力される映像ＴＳパケット・音声ＴＳパケット・放送字幕ＴＳパケットからなるＴＳパケット信号２を監視するために、デコーダ装置１０５、アンシラリ字幕表示装置１０６および映像モニタ・スピーカ１０７が使用される。デコーダ装置１０５は、前述したように、図６に示したような関連するデコーダ装置１０５Ａとは異なり、放送字幕ＴＳパケットについても処理対象としている。
【００４３】
つまり、デコーダ装置１０５は、ＴＳパケット化された映像ＴＳパケット・音声ＴＳパケットを、それぞれ、映像データ、音声データとしてデコードするとともに、放送字幕ＴＳパケットについてもアンシラリ字幕データへ変換して、映像データのアンシラリ領域へ多重化し、デコード信号４として、後段のアンシラリ字幕表示装置１０６に対して出力する。
【００４４】
映像データのアンシラリ領域へ多重化されたアンシラリ字幕データを含むデコード信号４は、エンコーダ装置１０１に入力されるアンシラリ字幕多重信号１と同一の信号形式であり、アンシラリ字幕表示装置１０６において、映像データからアンシラリ字幕データが抽出・分離されて、字幕データ６としてデコードされ、しかる後、字幕データ６は、入力されるアンシラリ字幕多重信号１の映像信号に重畳(スーパーインポーズ)されて、字幕重畳信号５として、映像モニタ・スピーカ１０７に出力される。したがって、映像モニタ・スピーカ１０７にて、映像信号に重畳されて表示される字幕データが、映像信号や音声信号とともに監視されることになる。
【００４５】
第３の監視ポイントとしては、デジタル放送システムから出力される放送電波３を放送局１００内に設置されたデジタル放送受信器１０８によって受信し、映像モニタ・スピーカ１０９に出力して監視する方法が用いられる。該デジタル放送受信器１０８は、各家庭２００に設置されるデジタル放送受信器２０１と同じ回路構成のものであり、字幕データを映像信号に重畳して表示することが可能である。
【００４６】
図５に示すような関連するデジタル放送システムにおいては、前述した第２の監視ポイントで放送字幕データが正常であるか否かを監視することができなかった。したがって、第１の監視ポイントにおいて、アンシラリ字幕データが映像モニタ・スピーカ１０４に正常に表示していた場合に、第３の監視ポイントにおいて、放送電波３に含まれている放送字幕データが映像モニタ・スピーカ１０９に異常な状態で表示された場合、第１の監視ポイント以降であって、かつ、第３の監視ポイント以前に介在している、エンコーダ装置１０１、デジタル変調器１０２、他の装置のいずれの箇所で異常が発生しているのかを特定することが困難であった。
【００４７】
図１に示す本実施形態のデジタル放送システムにおいては、エンコーダ装置１０１からのＴＳパケット信号２を監視する第２の監視ポイントにおいて、放送字幕の正常性を監視することを可能としている。
【００４８】
したがって、例えば、第１の監視ポイントで、アンシラリ字幕多重信号１に含まれるアンシラリ字幕データが正常であることが確認されていて、第２の監視ポイントで、ＴＳパケット信号２に含まれる放送字幕ＴＳパケットが異常であることが検知された場合には、第１の監視ポイント以降であって、かつ、第２の監視ポイント以前に介在する回路つまりエンコーダ装置１０１に異常が発生している可能性が高いと判断することができるようになる。
【００４９】
同様に、第２の監視ポイントで、ＴＳパケット信号２に含まれる放送字幕ＴＳパケットが正常であることが確認されていて、第３の監視ポイントで、放送電波３に含まれている放送字幕データが映像モニタ・スピーカ１０９に異常な状態で表示されていることが検知された場合、第２の監視ポイント以降であって、かつ、第３の監視ポイント以前に介在する回路つまりデジタル変調器１０２等の回路に異常が発生している可能性が高いと判断することができることになる。
【００５０】
なお、図１に示す本デジタル放送システムにおいては、各家庭２００に放送番組を送出する手段として、放送電波３を用いる場合について説明したが、本発明はかかる場合のみに限るものではなく、例えば、ＣＡＴＶのような同軸ケーブルや光ファイバ等の有線ケーブルを用いて放送番組を送出するようにしても良い。
【００５１】
（実施形態の効果の説明）
以上に詳細に説明したように、図１に示すような本実施形態のシステム構成により、デジタル放送システムにおいて、放送字幕データの送出に異常を検知した場合に、放送局１００内のいずれの回路部に異常が発生しているのかを容易に特定することが可能となる。
【００５２】
さらに、映像信号や音声信号に関しては擬似信号を用いて、字幕データ単独の形態で表示の正常性を確認するのではなく、実際の映像信号・音声信号とともに字幕データを表示することにより、映像信号・音声信号の確認と字幕データの表示の確認とを同時に行うことができるので、確認作業を効率化することができるという効果も得られる。
【００５３】
以上、本発明の好適実施形態の構成を説明した。しかし、斯かる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）映像ＴＳ（Transport Stream）パケットを映像データにデコードするデコーダ装置であって、前記映像ＴＳパケットとともに入力される放送字幕ＴＳパケットをアンシラリ字幕データに変換するデコーダ装置。
（３）映像データ、該映像データのアンシラリ領域に多重化された字幕データであるアンシラリ字幕データを少なくとも含む放送情報を、映像ＴＳ（Transport Stream）パケット、放送字幕ＴＳパケットを少なくとも含むデジタル放送信号の形式で放送するデジタル放送システムにおいて、前記映像ＴＳパケット、前記放送字幕ＴＳパケットを少なくとも入力し、入力された前記映像ＴＳパケットを映像データにデコードするとともに、入力された前記放送字幕ＴＳパケットをアンシラリ字幕データに変換し、前記映像データのアンシラリ領域に多重化したアンシラリ字幕多重信号として出力するデコーダ装置を備えているデジタル放送システム。
（４）前記デコーダ装置から出力される前記アンシラリ字幕多重信号に多重化されている前記アンシラリ字幕データを抽出した後、デコードして得られる字幕データを、前記アンシラリ字幕多重信号に重畳した放送字幕重畳信号として出力するアンシラリ字幕表示装置を備え、かつ、該放送字幕重畳信号を出力表示する映像モニタを備えている上記（３）のデジタル放送システム。
（５）映像データ、該映像データのアンシラリ領域に多重化された字幕データであるアンシラリ字幕データを少なくとも含む放送情報を入力して、該放送情報のうち、前記映像データを圧縮符号化した後、映像ＴＳパケットにエンコードするとともに、前記アンシラリ字幕データを、前記映像データに重畳する放送字幕データとして抽出した後、放送字幕ＴＳパケットにエンコードし、前記映像ＴＳパケットと多重化して、ＴＳパケット信号として出力するエンコーダ装置を備えている上記（３）または（４）のデジタル放送システム。
（６）前記エンコーダ装置の出力を前記デコーダ装置の入力に接続してなる上記（５）のデジタル放送システム。
（７）映像ＴＳ（Transport Stream）パケットを映像データにデコードするとともに、前記映像ＴＳパケットとともに入力される放送字幕ＴＳパケットをアンシラリ字幕データに変換するＴＳパケットデコード方法。
（８）前記アンシラリ字幕データを前記映像データに多重化する上記（７）のＴＳパケットデコード方法。
（９）映像データ、該映像データのアンシラリ領域に多重化された字幕データであるアンシラリ字幕データを少なくとも含む放送情報を、映像ＴＳ（Transport Stream）パケット、放送字幕ＴＳパケットを少なくとも含むデジタル放送信号の形式で放送する際に、前記字幕データが正常に放送されているか否かを監視する放送字幕監視方法において、前記映像ＴＳパケット、前記放送字幕ＴＳパケットを少なくとも入力し、入力された前記映像ＴＳパケットを映像データにデコードするとともに、入力された前記放送字幕ＴＳパケットをアンシラリ字幕データに変換し、前記映像データのアンシラリ領域に多重化したアンシラリ字幕多重信号として出力し、該アンシラリ字幕多重信号が正常に表示されるか否かを監視する監視工程を有している放送字幕監視方法。
（１０）前記アンシラリ字幕多重信号に多重化されている前記アンシラリ字幕データを抽出した後、デコードして得られる字幕データを、前記アンシラリ字幕多重信号に重畳した放送字幕重畳信号に変換し、変換した該放送字幕重畳信号を映像モニタに出力表示する上記（９）の放送字幕監視方法。
（１１）映像データ、該映像データのアンシラリ領域に多重化された字幕データであるアンシラリ字幕データを少なくとも含む放送情報を入力して、該放送情報のうち、前記映像データを圧縮符号化した後、映像ＴＳパケットにエンコードするとともに、前記アンシラリ字幕データを、前記映像データに重畳する放送字幕データとして抽出した後、放送字幕ＴＳパケットにエンコードし、前記映像ＴＳパケットと多重化して、ＴＳパケット信号として出力した直後に、前記監視工程により、前記放送字幕ＴＳパケットが正常であるか否かを監視する上記（９）または（１０）の放送字幕監視方法。
【符号の説明】
【００５４】
１          アンシラリ字幕多重信号
２          ＴＳパケット信号
３          放送電波
４          デコード信号
４Ａ        デコード信号
５          字幕重畳信号
６          字幕データ
１００      放送局
１００Ａ    放送局
１０１      エンコーダ装置
１０１ａ    映像抽出部
１０１ｂ    映像圧縮符号化・ＴＳパケット化部
１０１ｃ    音声抽出部
１０１ｄ    音声圧縮符号化・ＴＳパケット化部
１０１ｅ    アンシラリ字幕抽出部
１０１ｆ    放送字幕抽出・ＴＳパケット化部
１０１ｇ    ＴＳ多重化部
１０２      デジタル変調器
１０３      アンシラリ字幕表示装置
１０４      映像モニタ・スピーカ
１０５      デコーダ装置
１０６      アンシラリ字幕表示装置
１０７      映像モニタ・スピーカ
１０８      デジタル放送受信器
１０９      映像モニタ・スピーカ
２００      家庭
２０１      デジタル放送受信器
２０２      映像モニタ・スピーカ
【図１】
2010206531.tif 000003
【図２】
2010206531.tif 000004
【図３】
2010206531.tif 000005
【図４】
2010206531.tif 000006
【図５】
2010206531.tif 000007
【図６】
2010206531.tif 000008